(57)【要約】【課題】  本発明は、側溝ブロックの上側外面に穿設した横溝の真上を大きな重量の車両が通過した場合でも側溝ブロックの上部角隅部が破損し難い排水装置付側溝ブロックを提供することを目的としている。【解決手段】  側溝ブロック１の上側外面にほぼ水平な横溝３を穿設すると共に、該横溝３と、側溝ブロック１の内側流水通路２とを相互に連通する排水孔４を所定位置に設け、かつ横溝３内に添って透水パイプ５を挿入して構成し、側溝ブロック１の上側外面に穿設した横溝３の開放側上端部３ａから側溝ブロック１の上面１ａに亘って該側溝ブロック１の中央部側に傾斜する傾斜面1b1を形成したことを特徴とする。【選択図】      図１
2008179941.tif 000002
【特許請求の範囲】
【請求項１】
道路等に連結して埋設される雨水等の排水用の側溝ブロックであって、該側溝ブロックの上側外面にほぼ水平な横溝を穿設すると共に、該横溝と、前記側溝ブロックの内側流水通路とを相互に連通する排水孔を所定位置に設け、かつ前記横溝内に添って透水パイプを挿入して構成した排水装置付側溝ブロックにおいて、
前記側溝ブロックの上側外面に穿設した横溝の開放側上端部から前記側溝ブロックの上面に亘って該側溝ブロックの中央部側に傾斜する傾斜面を形成したことを特徴とする排水装置付側溝ブロック。
【請求項２】
前記傾斜面と、前記側溝ブロックの上面とが交差する位置が、前記横溝の奥側壁面よりも該側溝ブロックの中央部側に配置されたことを特徴とする請求項１に記載の排水装置付側溝ブロック。
【発明の詳細な説明】
【技術分野】
【０００１】
本発明は、道路等に埋設されて使用される側溝用の箱形ヒューム管、横断用箱形ヒューム管、バイコン箱形ヒューム管、自由勾配側溝、Ｕ字溝、ボックスホルバート等の所謂側溝ブロックに係り、特にこれ等の多種多様の側溝ブロックの外側面に排水装置を一体的に取付けて構成した排水装置付の側溝ブロックに関するものである。
【背景技術】
【０００２】
近年、建設省を中心にして民間企業でも、道路の舗装に「排水性舗装工法」が実験的に大規模に実施されるようになって来た。この舗装工法は、通常厚さが約５０mmあるアスファルトの表層を従来の緻密な組成であったものから、空隙のあるものに変えて、降雨時に舗装表面の雨水をアスファルトの空隙を通過させて、道路表面に雨水が溜まったり、流れたり、或いは雨水が侵水することを防止し得るようにした舗装工法である。
【０００３】
この舗装工法を採用することによって、前述のような道路上に雨水が溜まったり、流れたり、或いは道路の周りに侵水することを防止出来る上に、更に車のタイヤノイズの低減、車のスリップの低減、夜間の降雨時に対向車のライトの反射低減等に優れた効果があることが確認されている。
【０００４】
処で、道路の舗装に前述のような「排水性舗装工法」を採用した場合には、道路の表層となる排水性舗装層の空隙を通過して来た水を道路の排水性表層と基盤層との間で処理しなければならない問題がある。
【０００５】
従って、この問題を解決するために、現在では、昭和シェル石油株式会社が開発した合成繊維系を編み込んだメッシュ状の透水パイプ（商品名「ペープドレーン」）、株式会社橋梁メンテナンスが開発したスプリングメッシュ製の透水パイプ（商品名「ドレイナー」）等を道路の排水性表層と基盤層との間に直線状、或いはＵ字状に湾曲させて敷設し、透水パイプで水を集めると共に、この水を側溝の流水通路に流すように構成していた。
【０００６】
然るに、前述のような各種の透水パイプを道路の排水性表層と基盤層との間に敷設することは、「排水性舗装工法」を実施する前に基盤層の表面の所定位置に透水パイプを固定し、かつ透水パイプの端部を側溝の排水孔に挿入固定し、更にこの透水パイプの上に排水性舗装を施こさなければならないので、施工作業が極めて複雑である問題があった。
【０００７】
また、「排水性舗装工法」によって構成された排水性表層を改修する際には、排水性表層の下部に敷設された透水パイプを損傷しないように改修工事をしたり、或いは大きな改修工事をする場合には透水パイプを新たに敷設し直さなければならない等の多くの問題があった。
【０００８】
このような問題を解決するために、本出願人は、特許第２８８２７６４号公報（特許文献１）に記載したように、側溝ブロック自体に排水装置を取り付けることによって、前述の従来の諸問題を解決する排水装置付側溝ブロックの技術を提供している。
【０００９】
【特許文献１】特許第２８８２７６４号公報
【発明の開示】
【発明が解決しようとする課題】
【００１０】
しかしながら、前述の特許文献１の技術であっても、全く問題がないわけではなく、例えば図４に示すように、側溝ブロック１の上側外面に穿設した横溝３の真上を大きな重量の車両51が通過した場合には該横溝３の奥側壁面３ｂに沿って該奥側壁面３ｂから側溝ブロック１の上面１ａに亘って亀裂52が発生し、側溝ブロック１の上部角隅部１ｂが破損し易いといった問題が残されている。
【００１１】
本発明は前記課題を解決するものであり、その目的とするところは、側溝ブロックの上側外面に穿設した横溝の真上を大きな重量の車両が通過した場合でも側溝ブロックの上部角隅部が破損し難い排水装置付側溝ブロックを提供せんとするものである。
【課題を解決するための手段】
【００１２】
前記目的を達成するための本発明に係る排水装置付側溝ブロックの第１の構成は、道路等に連結して埋設される雨水等の排水用の側溝ブロックであって、該側溝ブロックの上側外面にほぼ水平な横溝を穿設すると共に、該横溝と、前記側溝ブロックの内側流水通路とを相互に連通する排水孔を所定位置に設け、かつ前記横溝内に添って透水パイプを挿入して構成した排水装置付側溝ブロックにおいて、前記側溝ブロックの上側外面に穿設した横溝の開放側上端部から前記側溝ブロックの上面に亘って該側溝ブロックの中央部側に傾斜する傾斜面を形成したことを特徴とする。
【００１３】
また、本発明に係る排水装置付側溝ブロックの第２の構成は、前記第１の構成において、前記傾斜面と、前記側溝ブロックの上面とが交差する位置が、前記横溝の奥側壁面よりも該側溝ブロックの中央部側に配置されたことを特徴とする。
【発明の効果】
【００１４】
本発明に係る排水装置付側溝ブロックの第１の構成によれば、側溝ブロックの上側外面に横溝を設けたので、この横溝内に透水パイプを挿入して一体的に収納することが出来、横溝と側溝ブロックの流水通路とを排水孔で連通したので、横溝内或いは横溝内に収納された透水パイプ内の水を排水孔を介して流水通路に排出することが出来、本発明に係る排水装置付側溝ブロックを道路等に設置するのみで、その周りに施された排水性表層内に浸入する水をスムーズに集めて排出することが出来る。
【００１５】
また、排水装置が側溝ブロック内に一体的に組込まれているので、周りの排水性表層を改修する際にも邪魔にならず、改修作業が容易であり、透水パイプを湾曲させて排水孔内に挿入することで、排水構造の全体の構成を極めて簡単にさせ、透水パイプ内の水を湾曲部より排水孔内にスムーズに排出することが出来、横溝内に収納した透水パイプは、接着剤或いは巾狭の粘着テープ等によって、簡単に固定することが出来る。
【００１６】
また、側溝ブロックの上側外面に穿設した横溝の開放側上端部から該側溝ブロックの上面に亘って該側溝ブロックの中央部側に傾斜する傾斜面を形成したことにより側溝ブロックの上側外面に穿設した横溝の真上を大きな重量の車両が通過した場合でも側溝ブロックの上部角隅部が荷重により破損し難い。
【００１７】
また、本発明に係る排水装置付側溝ブロックの第２の構成によれば、側溝ブロックの上側外面に穿設した横溝の開放側上端部から該側溝ブロックの上面に亘って該側溝ブロックの中央部側に傾斜する傾斜面と、該側溝ブロックの上面とが交差する位置が、横溝の奥側壁面よりも該側溝ブロックの中央部側に配置したことで側溝ブロックの上部角隅部の破損をより確実に防止出来る。
【発明を実施するための最良の形態】
【００１８】
図により本発明に係る排水装置付側溝ブロックの一実施例を具体的に説明する。図１は本発明に係る排水装置付側溝ブロックの構成を示す斜視説明図、図２は本発明に係る排水装置付側溝ブロックの構成を示す平面図、断面図及び正面図、図３は本発明に係る排水装置付側溝ブロックの傾斜面の構成を示す部分拡大図である。
【００１９】
図１〜図３において、１は道路等に連結して埋設される雨水等の排水用の排水装置付側溝ブロックであって、道路の側部に埋設される箱形ヒューム管により形成されている。この側溝ブロック１の中心部には内側流水通路２が設けられ、かつ側溝ブロック１の上側外面には、略水平に配置され長軸方向に沿って全長に亘って所定の内径を持った断面コ字形状の横溝３が穿設されている。更に、この横溝３のほぼ中央部の所定位置には、該横溝３と流水通路２とを相互に連通すると共に、該横溝３から流水通路２に向かって下方に傾斜した排水孔４が穿設されている。
【００２０】
次に５は透水パイプであって、合成繊維系を編み込んだメッシュ状パイプ、或いは金属製のスプリングメッシュ状パイプ等より形成されており、外周壁が水を透すことが出来るように構成されている。透水パイプ５は前記横溝３内に添って挿入されると共に、図示しない接着剤或いは巾の小さい粘着テープ等によって横溝３から脱落しないように固定されている。また、横溝３の内径を透水パイプ５の外径より小さく形成した場合には、透水パイプ５を単に横溝３内に押し込むことによって固定することが出来る。
【００２１】
また、透水パイプ５の一部は、Ｕ字形状に湾曲され、かつこの湾曲されたＵ字形状部分５ａが下方向に傾斜した排水孔４の中に深く挿入されている。透水パイプ５の両端は、夫々側溝ブロック１の端面とほぼ面一に設けられている。
【００２２】
図３に示すように、側溝ブロック１の上側外面に穿設した横溝３の開放側上端部３ａから該側溝ブロック１の上面１ａに亘って該側溝ブロック１の中央部側（図３の左側）に傾斜する傾斜面1b1が形成されている。横溝３の真上の上部角隅部１ｂに形成される傾斜面1b1と、側溝ブロック１の上面１ａとが交差する位置ａは、図３（ａ）に示すように、横溝３の奥側壁面３ｂの真上に配置されるか、若しくは図３（ｂ）に示すように、横溝３の奥側壁面３ｂよりも該側溝ブロック１の中央部側（図３（ｂ）の左側）に配置される。
【００２３】
本発明に係る側溝ブロック１は上述の如く、その上側外面に横溝３を設けたので、この横溝３内に透水パイプ５を収納して一体的に取付けることが出来る。かつ該横溝３と流水通路２との間には、相互に連通する排水孔４を設けたので、横溝３内に収納された透水パイプ５内の水を傾斜した排水孔４を介して流水通路２内に排出することが出来る。
【００２４】
特に前述のように、横溝３内に収納された透水パイプ５の一部を湾曲させて、排水孔４内に深く挿入して構成した場合には、排水孔４内に挿入された透水パイプ５の湾曲部からその内部の水を排水孔４内に流出することが出来る。
【００２５】
本発明に係る複数の側溝ブロック１を道路に並列して連結する場合には、これ等の側溝ブロック１に取り付けられた透水パイプ５の端部を相互に付合わせておくだけで良く、これ等の透水パイプ５の端部は相互に連結する必要はない。ただし、「排水性舗装工法」により敷設された道路の排水性表層に透水パイプ５が当接されるように配置する必要がある。
【００２６】
本発明に係る側溝ブロック１は上述の構造を有するので、この側溝ブロック１を道路に設置し、かつこの側溝ブロック１の横溝３の側方に前述のような従来の「排水性舗装工法」によってアスファルト等の排水性表層（図示せず）を形成することにより、この排水性表層内に侵透した水を側溝ブロック１の透水パイプ５でスムーズに集め、排水孔４を介して流水通路２より排水することが出来る。
【００２７】
従って、「排水性舗装工法」の施工を極めて容易にすることが出来ると共に、排水性表層に侵透した水を確実に排出することが出来る。更に、透水パイプ５は側溝ブロック１の一部に組込まれているので、排水性表層を部分的に或いは全面的に改修する場合にも邪魔にならず、簡単かつ確実に改修作業をすることが出来る。
【００２８】
上記構成によれば、側溝ブロック１の上側外面に穿設した横溝３の開放側上端部３ａから該側溝ブロック１の上面１ａに亘って該側溝ブロック１の中央部側に傾斜する傾斜面1b1を形成したことにより側溝ブロック１の上側外面に穿設した横溝３の真上を大きな重量の車両が通過した場合でも側溝ブロック１の上部角隅部が荷重により破損し難い。
【００２９】
また、側溝ブロック１の上側外面に穿設した横溝３の開放側上端部から該側溝ブロック１の上面１ａに亘って該側溝ブロック１の中央部側に傾斜する傾斜面1b1と、該側溝ブロック１の上面１ａとが交差する位置ａを、横溝３の奥側壁面３ｂよりも該側溝ブロック１の中央部側に配置したことで側溝ブロック１の上部角隅部１ｂの破損をより確実に防止出来る。
【００３０】
上記実施形態においては、めくら状の箱形ヒューム管により形成される側溝ブロック１について説明したが、上部が開放され、かつその開放された部分に蓋板を取付ける構造の箱形ヒューム管よりなる側溝ブロックにも、前述の如く、横溝３を設け、かつこの横溝３内に透水パイプ５を収納して構成することが出来る。
【００３１】
更に、道路を横断する場所に使用される横断用側溝ブロックにも、その両上側外面に夫々横溝３を設け、かつこの横溝３内に透水パイプ５を収納して構成することが出来る。
【００３２】
また、バイコン箱形ブロックより形成されたもの、自由勾配側溝ブロックより構成されたもの、Ｕ字溝ブロックより構成されたもの、ボックスカルバートブロックより構成されたもの等、種々の側溝ブロックにも夫々横溝３と透水パイプ５とを設けて構成することが出来る。
【産業上の利用可能性】
【００３３】
本発明の活用例として、道路等に埋設されて使用される側溝用の箱形ヒューム管、横断用箱形ヒューム管、バイコン箱形ヒューム管、自由勾配側溝、Ｕ字溝、ボックスホルバート等の所謂側溝ブロックに適用出来、特にこれ等の多種多様の側溝ブロックの外側面に排水装置を一体的に取付けて構成した排水装置付の側溝ブロックに適用出来る。
【図面の簡単な説明】
【００３４】
【図１】本発明に係る排水装置付側溝ブロックの構成を示す斜視説明図である。
【図２】本発明に係る排水装置付側溝ブロックの構成を示す平面図、断面図及び正面図である。
【図３】本発明に係る排水装置付側溝ブロックの傾斜面の構成を示す部分拡大図である。
【図４】従来例の課題を説明する図である。
【符号の説明】
【００３５】
１…側溝ブロック
１ａ…上面
１ｂ…上部角隅部
1b1…傾斜面
２…流水通路
３…横溝
３ａ…開放側上端部
３ｂ…奥側壁面
４…排水孔
５…透水パイプ
５ａ…Ｕ字形状部分
【図１】
2008179941.tif 000003
【図２】
2008179941.tif 000004
【図３】
2008179941.tif 000005
【図４】
2008179941.tif 000006